(57)【特許請求の範囲】
【請求項１】
１つの親局と複数の子局とを含む複数の地球局が通信衛星を介して共通線信号回線で接続されたネットワークを有し、すべての前記地球局を前記親局にて管理し、前記複数の地球局の中の任意の発呼地球局と相手地球局との間の通信回線割当要求時に、前記親局が、前記共通線信号回線を通じて前記発呼地球局からの回線割当要求信号を受信すると、前記親局が、空き通信回線を検索し、前記発呼地球局と相手地球局とに前記共通線信号回線を通じて、使用通信回線を割当て、この使用通信回線を通じて前記発呼地球局と相手地球局とが通信を行ない、その通信の終了後に前記発呼地球局または相手地球局からの回線開放通知に基づき、前記親局が前記使用通信回線を開放するように構成された要求時回線割当方式の衛星通信システムであって、
前記親局は、前記地球局毎の通信統計情報を持ち、前記回線開放通知が受信できない場合には、前記親局が、前記使用通信回線を割当ててから、前記発呼地球局に対応する前記通信統計情報に基づいて決定した待機時間後に、前記使用通信回線の通信状態の監視を開始し、この監視を開始した後において、所定時間内に前記使用通信回線で通信が行なわれていない場合には、前記親局が前記使用通信回線を開放することを特徴とする衛星通信システム。
【請求項２】
請求項１記載の衛星通信システムであって、前記親局が、前記発呼地球局と相手地球局との通信について、周波数帯域幅を指定して前記使用通信回線を割当てるように構成され、また、前記地球局毎の通信統計情報が前記帯域幅毎に分類され、前記回線開放通知が受信できない場合には、前記親局が、前記使用通信回線を割当ててから、前記発呼地球局の前記使用通信回線の帯域幅に対応する前記通信統計情報に基づいて決定した待機時間後に、前記使用通信回線の通信状態の監視を開始し、この監視を開始した後において、所定時間内に前記使用通信回線で通信が行なわれていない場合には、前記親局が前記使用通信回線を開放することを特徴とする衛星通信システム。
【請求項３】
請求項１または２記載の衛星通信システムであって、前記地球局毎の通信統計情報が、それぞれの地球局の平均通信時間情報とされたことを特徴とする衛星通信システム。
【請求項４】
請求項３記載の衛星通信システムであって、前記平均通信時間情報が、前記発呼地球局毎に、またはその発呼地球局の前記使用通信回線の帯域幅毎に記録したすべての通信の平均通信時間、前記記録したすべての通信の中で指定された期間の平均通信時間、および前記記録したすべての通信の中で指定された通信件数の平均通信時間のいずれかから選択可能とされたことを特徴とする衛星通信システム。
【請求項５】
請求項１または２記載の衛星通信システムであって、前記通信統計情報が、前記発呼地球局毎に、またはその発呼地球局の前記使用通信回線の帯域幅毎の最小通信時間、平均通信時間、および最大通信時間のいずれかから選択可能とされたことを特徴とする衛星通信システム。
【請求項６】
請求項１または２記載の衛星通信システムであって、前記発呼地球局または相手地球局は、前記使用通信回線での通信中に周期的に通信確認信号を発信するように構成され、前記親局が、前記使用通信回線の通信状態の監視を開始した後に、最初に前記通信確認信号を受信すると、前記親局が、その通信確認信号に基づいて、次の監視タイミングを予測し、その予測された監視タイミングで時分割に監視を行なうことを特徴とする衛星通信システム。
【発明の詳細な説明】
【技術分野】
【０００１】
この発明は、１つの親局と複数の子局を含む複数の地球局が通信衛星を介して共通線信号回線で接続されたネットワークを有する衛星通信システムの関するものである。
【背景技術】
【０００２】
この種の衛星通信システムは、すべての地球局を親局にて管理し、複数の地球局の中の任意の発呼地球局と相手地球局との間の通信回線割当要求時に、親局が、共通線信号回線を通じて発呼地球局からの回線割当要求信号を受信すると、親局が空き通信回線を検索し、発呼地球局と相手地球局とに共通線信号回線を通じて、使用通信回線を割当て、この使用通信回線を通じて発呼地球局と相手地球局とが通信を行ない、その通信の終了後に発呼地球局または相手地球局からの回線解放通知に基づき、親局が使用通信回線を開放するように構成される。
【０００３】
先行技術である特開平５−２０６９１２号公報には、この種の衛星通信システムにおいて、回線開放通知が検出できなかった場合でも、親局が定期的に地球局間の通信状態を監視して、通信回線を開放し、通信回線の利用効率を高めるものが開示されている。この先行技術に開示された衛星通信システムでは、地球局間の通信をモニタするモニタ回路を親局に設け、親局内で、このモニタ回路へ定期的に地球局の通信状態の問合わせを行ない、その結果、通信が終了していると判断すると、通信回線を開放するようにしている。
【０００４】
【特許文献１】特開平５−２０６９１２号公報
【発明の開示】
【発明が解決しようとする課題】
【０００５】
しかし、先行技術に開示されたように、親局内で、定期的に地球局の通信状態を問合せするものでは、地球局間の通信開始直後の、通信が継続していることが多い場合にも、モニタ回路が通信状態をモニタする無駄が生じ、また、モニタ回路が通信状態をモニタする間の期間では、通信終了を検知できない問題も発生する。加えて、１つの通信回線のモニタを一定期間連続してモニタすると、他の通信回線をモニタするには、複数の無線機（復調器）が必要になる問題がある。
【０００６】
この発明は、このような無駄な通信回線の監視を改善することのできる衛星通信システムを提案するものである。
【課題を解決するための手段】
【０００７】
この発明による衛星通信システムは、１つの親局と複数の子局とを含む複数の地球局が通信衛星を介して共通線信号回線で接続されたネットワークを有し、すべての前記地球局を前記親局にて管理し、前記複数の地球局の中の任意の発呼地球局と相手地球局との間の通信回線割当要求時に、前記親局が、前記共通線信号回線を通じて前記発呼地球局からの回線割当要求信号を受信すると、前記親局が、空き通信回線を検索し、前記発呼地球局と相手地球局とに前記共通線信号回線を通じて、使用通信回線を割当て、この使用通信回線を通じて前記発呼地球局と相手地球局とが通信を行ない、その通信の終了後に前記発呼地球局または相手地球局からの回線開放通知に基づき、前記親局が前記使用通信回線を開放するように構成された要求時回線割当方式の衛星通信システムであって、前記親局は、前記地球局毎の通信統計情報を持ち、前記回線開放通知が受信できない場合には、前記親局が、前記使用通信回線を割当ててから、前記発呼地球局に対応する前記通信統計情報に基づいて決定した待機時間後に、前記使用通信回線の通信状態の監視を開始し、この監視を開始した後において、所定時間内に前記使用通信回線で通信が行なわれていない場合には、前記親局が前記使用通信回線を開放することを特徴とする。
【発明の効果】
【０００８】
この発明による衛星通信システムでは、親局は、地球局毎の通信統計情報を持ち、回線開放通知が受信できない場合には、親局が、使用通信回線を割当ててから、発呼地球局に対応する前記通信統計情報に基づいて決定した待機時間後に、前記使用通信回線の通信状態の監視を開始し、この監視を開始した後において、所定時間内に使用通信回線で通信が行なわれていない場合には、親局が前記使用通信回線を開放するので、無駄な通信回線の監視を改善することができる。
【発明を実施するための最良の形態】
【０００９】
以下この発明のいくつかの実施の形態について、図面を参照して説明する。
【００１０】
実施の形態１．
図１は、この発明による衛星通信システムの実施の形態１を示すシステム構成図、図２は、実施の形態１における親局の構成を示すブロック図である。
【００１１】
まず、図１に示す実施の形態１の衛星通信システムは、少なくとも１つの通信ネットワークＮＷを含んでいる。この通信ネットワークＮＷは、要求時回線割当方式（ＤＡＭＡ方式）のネットワークであり、１つの通信衛星ＣＳと、この通信衛星ＣＳに対応する地球局群ＥＳＧを含み、地球局群ＥＳＧは、１つの親局（ＨＵＢ局）１と、子局群２を含む。子局群２は、ｎ個の子局（ＶＳＡＴ局）２ａ、２ｂ、・・・、２ｎを含む。親局１および子局２ａ、２ｂ、・・・、２ｎは、それぞれ地球局ＥＳを構成し、地球上の互いに離れた位置に設置される。
【００１２】
親局１は、親局１と、ｎ個の子局２ａ、２ｂ、・・・、２ｎを含むすべて地球局群ＥＧＳを管理するように構成される。親局１と、ｎ個の各子局２ａ、２ｂ、・・・、２ｎとは、通信衛星ＣＳを介して共通線信号回線ＣＳＣで結合される。この共通線信号回線ＣＳＣは、下りの共通線信号回線３と、上りの共通線信号回線４を含む。通信衛星ＣＳと親局１との間には、通信衛星ＣＳから親局１に向かう上りの共通線信号回線４と、親局１から通信衛星ＣＳに向かう下りの共通線信号回線３が形成される。通信衛星ＣＳとｎ個の各子局２ａ、２ｂ、・・・、２ｎの間には、各子局２ａ、２ｂ、・・・、２ｎから通信衛星ＣＳに向かう上りの共通線信号回線４と、通信衛星ＣＳから各子局２ａ、２ｂ、・・・、２ｎに向かう下りの共通線信号回線３とが形成される。
【００１３】
図２において、親局１は、回線接続制御装置１０と、共通線信号変復調部（ＣＳＣ変復調部）１４と、通信回線監視用復調部１５と、送受信装置１６と、送受信アンテナ１７を有する。回線接続制御装置１０は、要求時回線割当制御部（ＤＡＭＡ制御部）１１と、制御表示部１２と、通信回線監視制御部１３を有する。ＤＡＭＡ制御部１１は、回線接続制御装置１０の内部で、制御表示部１２および通信回線制御部１３に接続される。ＤＡＭＡ制御部１１は、ＣＳＣ変復調部１４に接続され、通信回線監視制御部１３は、通信回線監視用復調部１５に接続され、これらのＣＳＣ変復調部１４と通信回線監視用復調部１５は、それぞれ送受信装置１６を通じて送受信アンテナ１７に接続される。なお、制御表示部１２は、ＤＡＭＡ制御部１１および通信回線監視制御部１３の制御状態を表示する。
【００１４】
親局１と子局２ａ、２ｂ、・・・、２ｎを含む各地球局ＥＳＧの中の任意の１つの発呼地球局ＥＳ１が、任意の他の相手地球局ＥＳ２との間で通信を行なうときには、発呼地球局ＥＳ１は、相手地球局ＥＳ２を指定して、親局１に通信回線割当要求ＲCを送信する。この通信回線割当要求ＲCは、無線信号であり、上りの共通線信号回線４を通じて、発呼地球局ＥＳ１から親局１に送信される。
【００１５】
通信回線割当要求ＲＣは、親局１の送受信アンテナ１７で受信され、送受信装置１６を通じて、ＣＳＣ変復調部１４で中間周波信号に変換され、ＤＡＭＡ制御部１１に送られる。親局１のＤＡＭＡ制御部１１は、その通信回線割当要求ＲCに基づき、空き通信回線を検索し、発呼地球局ＥＳ１と相手地球局ＥＳ２に、使用通信回線５の割当てを行なう。この使用通信回線５の割当ては、ＤＡＭＡ制御部１１からＣＳＣ変復調部１４に送られ、このＣＳＣ変復調部１４で無線信号に変換されて、送受信装置１６から送受信アンテナ１７に送られ、下りの共通線信号回線３を通じて、親局１から発呼地球局ＥＳ１と相手地球局ＥＳ２に送信される。使用通信回線５の割当ては、使用通信回線５の周波数帯域幅を指定して行なわれる。使用通信回線５の周波数帯域幅に応じて決定される通信速度により、発呼地球局ＥＳ１と相手地球局ＥＳ２は通信を開始する。
【００１６】
図１には、子局２ａが発呼地球局ＥＳ１、子局２ｂが相手地球局ＥＳ２となり、これらの子局２ａ、２ｂ間に使用通信回線５が割当てられた状態を例示しているが、親局１を含む任意の地球局ＥＳが発呼地球局ＥＳ１、任意の他の地球局ＥＳが相手地球局ＥＳ２となることができる。発呼地球局ＥＳ１と相手地球局ＥＳ２との間では、使用通信回線５を通じて、通信衛星ＣＳを介して、音声情報、データ、ＦＡＸ情報、映像情報などの情報がやり取りされる。地球局ＥＳ１、ＥＳ２は、使用通信回線５を通じて通信を行なうときに、所定周期ｔで繰返し通信確認信号ＣＣを送信するように構成される。この通信確認信号ＣＣは、使用通信回線５を通じて送信される。
【００１７】
発呼地球局ＥＳ１と相手地球局ＥＳ２は、通信を終了するときには、上り共通線信号回線４を通じて回線開放通知ＮＲを親局１へ送信する。この回線開放通知ＮＲは、親局１の送受信アンテナ１７で受信され、送受信装置１６を通じて、ＣＳＣ変復調部１４で中間周波信号に変換され、ＤＡＭＡ制御部１１に送られる。ＤＡＭＡ制御部１１は、この回線開放通知ＮＲに基づき、使用通信回線５を開放する。
【００１８】
親局１の通信回線監視制御部１３は、回線開放通知ＮＲが正常に受信できない場合に備えて、発呼地球局ＥＳ１と相手地球局ＥＳ２との通信を監視する。この通信の監視を行なうために、ＤＡＭＡ制御部１１は、通信回線監視制御部１３と接続され、発呼地球局ＥＳ１と相手地球局ＥＳ２に、使用通信回線５を割当てたときに、使用通信回線５と、この使用通信回線５を使用する地球局ＥＳ１、ＥＳ２の情報を、通信回線監視制御部１３へ通知する。通信回線監視制御部１３は、この使用通信回線５と、それを使用する地球局ＥＳ１、ＥＳ２の情報に基づいて、地球局ＥＳ１、ＥＳ２の間の通信を監視する。
【００１９】
通信回線監視制御部１３は、使用通信回線５の情報に基づき、通信回線監視用復調部１５を使用通信回線５の周波数帯域幅に設定し、親局１と地球局ＥＳ１、ＥＳ２との間に、同じ使用通信回線５を形成する。通信回線監視復調部１５は、この使用通信回線５を通じて、地球局ＥＳ１、ＥＳ２の通信を監視する。
【００２０】
通信回線監視制御部１３は、待機時間設定部１３ａを有する。待機時間設定部１３ａは、親局１が地球局ＥＳ１、ＥＳ２の間に、使用通信回線５を割当した時点Ｔｓから待機時間Ｔｗの後に、通信回線監視制御部１３が、使用通信回線５の監視を開始するように通信回線監視制御部１３を制御する。通信回線監視制御部１３は、使用通信回線５の監視中に、地球局ＥＳ１、ＥＳ２から所定周期ｔで繰返し送信される通信確認信号ＣＣを監視し、この通信確認信号ＣＣが受信されない状態が所定時間Ｔ（２ｔ＞Ｔ＞ｔ）以上継続したときに、通信回線監視制御部１３は、使用通信回線５を開放する回線開放指示ＩＲをＤＡＭＡ制御部１１に送る。
【００２１】
ＤＡＭＡ制御部１１は、この通信回線監視制御部１３からの回線開放指示ＩＲにより、使用通信回線５を開放する。なお、待機時間Ｔｗおよび通信回線監視制御部１３による使用通信回線５の監視中に、地球局ＥＳ１、ＥＳ２からの回線開放通知ＮＲが受信された場合には、ＤＡＭＡ制御部１１は、使用通信回線５を直ちに開放し、この使用通信回線５の開放を通信回線監視制御部１３に通知し、通信回線監視制御部１３は、この通知により、待機時間Ｔｗにおいても、監視期間中においても、使用通信回線５の監視を終了する。
【００２２】
待機時間設定部１３ａは、各地球局ＥＳ毎に分類された通信統計情報ＳＴを含む。この通信統計情報ＳＴは、各地球局ＥＳの平均通信時間情報Ｔａｖｅを含む。この平均通信時間情報Ｔａｖｅは、それぞれの地球局ＥＳが、発呼地球局ＥＳ１および相手地球局ＥＳ２となった過去の通信実績について、その平均通信時間を算出した情報である。
【００２３】
待機時間設定部１３ａは、ＤＡＭＡ制御部１１が、発呼地球局ＥＳ１と相手地球局ＥＳ２との間に、使用通信回線５を割当てたときに、その発呼地球局ＥＳ１に対応した通信統計情報ＳＴに含まれる平均通信時間情報Ｔａｖｅにより、待機時間Ｔｗを決定する。通信回線監視制御部１３は、ＤＡＭＡ制御部１１が、地球局ＥＳ１、ＥＳ２の使用通信回線５を割当てた時点Ｔｓから待機時間Ｔｗの後に、通信回線監視用復調部１５に、使用通信回線５と同じ周波数帯域幅を設定し、地球局ＥＳ１、ＥＳ２の間における通信の監視を開始する。
【００２４】
図３は、実施の形態１による使用通信回線の制御シーケンス図である。図３の上部には、ＣＳＣ変復調部１４、ＤＡＭＡ制御部１１、通信回線監視制御部１３、および通信回線監視用復調部１５が並んで図示され、その下部に、使用通信回線５の制御状態が図示される。最初に、ＣＳＣ変復調部１４からＤＡＭＡ制御部１１へ、地球局ＥＳ１からの通信回線割当要求ＲＣが通知され、ＤＡＭＡ制御部１１が時点Ｔｓで使用通信回線５を割当てる。このＤＡＭＡ制御部１１により割当てられた使用通信回線５の周波数帯域幅は、ＣＳＣ変復調部１４から、地球局ＥＳ１、ＥＳ２に通知され、同時に通信回線監視制御部１３へ、使用する地球局ＥＳ１、ＥＳ２の情報とともに通知される。
【００２５】
通信回線監視制御部１３は、ＤＡＭＡ制御部１１からの使用通信回線５の周波数帯域幅と、使用地球局ＥＳ１、ＥＳ２の情報に基づき、発呼地球局ＥＳ１の通信統計情報ＴＳを用いて、待機時間Ｔｗを決定し、使用通信回線５の割当時点Ｔｓから待機時間Ｔｗの後に、通信回線監視制御部１３が、通信回線監視用復調部１５に使用通信回線５と同じ周波数帯域を設定し、通信回線監視用復調部１５が使用通信回線５の監視を開始する。この監視の開始後において、所定時間Ｔ内に使用通信回線５からの通信確認信号ＣＣが受信されないときには、通信回線監視制御部１３は、通信が終了したものとして、使用通信回線５に対する開放指示信号ＩＲをＤＡＭＡ制御部１１へ送り、ＤＡＭＡ制御部１１が使用通信回線５の開放を行なう。
【００２６】
実施の形態１では、発呼地球局ＥＳ１についての通信統計情報ＴＳ、具体的には、発呼地球局ＥＳ１についての平均通信時間情報Ｔａｖｅにより、待機時間Ｔｗを決定するので、通信回線監視制御部１３による使用通信回線５の監視は、地球局ＥＳ１、ＥＳ２の通信の終期またはその終了時点の近傍から開始されることになり、地球局ＥＳ１、ＥＳ２の通信が実行される可能性の高い使用通信回線５の割当て直後に、無駄に使用通信回線５の監視を行なうことを改善することができる。
【００２７】
また、通信回線監視制御部１３は、所定の監視時間Ｔに通信確認信号ＣＣが受信されないときには、使用通信回線５の開放を行なうので、監視時間Ｔを充分に短縮することができる。監視時間Ｔは、２ｔ＞Ｔ＞ｔの範囲に設定される。また、待機時間Ｔｗおよび監視時間Ｔでも、ＣＳＣ変復調器１４で地球局ＥＳ１、ＥＳ２からの回線開放通知ＮＲを受信することができ、この回線開放通知ＮＲに基づき、ＤＡＭＡ制御部１１により、使用通信回線５の開放を行なうことができる。
【００２８】
実施の形態２．
この実施の形態２は、実施の形態１において、前記地球局毎の通信統計情報ＴＳを、さらに、前記使用通信回線の周波数帯域幅毎に分類し、ＤＡＭＡ制御部１１が地球局ＥＳ１、ＥＳ２の間における使用通信回線５の周波数帯域幅を指定したときに、待機時間設定部１３ａが、発呼地球局ＥＳ１に対応し、また指定された周波数帯域幅に対応する通信統計情報ＴＳの平均通信時間情報Ｔａｖｅに基づいて、待機時間Ｔｗを決定するように構成したものである。その他は、実施の形態１と同じに構成される。
【００２９】
この実施の形態２では、親局１が、発呼地球局ＥＳ１と相手地球局ＥＳ２との間に、使用通信回線５の周波数帯域幅を指定して使用通信回線を割当ててから、発呼地球局ＥＳ１の使用通信回線の帯域幅に対応する通信統計情報ＴＳの平均通信時間情報Ｔａｖｅに基づいて決定した待機時間Ｔｗの後に、使用通信回線５の通信状態の監視を開始し、この監視を開始した後において、所定時間内に、使用通信回線５で通信が行なわれていない場合には、親局１が使用通信回線５を開放する。
【００３０】
この実施の形態２によれば、地球局毎の通信統計情報ＴＳが、使用通信回線５の周波数帯域幅に対応してさらに細かく分類されるので、待機時間Ｔｗを的確に決定することができ、実施の形態１に比べて、無駄な使用通信回線５の監視をさらに改善することができる。
【００３１】
実施の形態３．
この実施の形態３は、実施の形態１において、地球局毎の通信統計情報ＴＳ、すなわち、地球局毎に平均通信時間情報Ｔａｖｅを、それぞれの地球局について記録したすべての通信の平均通信時間、前記記録したすべての通信の中で指定された期間の平均通信時間、および前記記録したすべての通信の中で指定された通信件数の平均通信時間のいずれかから選択可能とし、これらに基づいて待機時間Ｔｗを決定するようにしたものである。
【００３２】
この実施の形態３では、地球局毎の通信統計情報ＴＳ、すなわち平均通信時間情報Ｔａｖｅが、それぞれの地球局について記録したすべての通信の平均通信時間、前記記録したすべての通信の中で指定された期間の平均通信時間、および前記記録したすべての通信の中で指定された通信件数の平均通信時間のいずれかから選択可能とされる結果、待機時間Ｔｗを的確に決定することができ、従来に比べて、無駄な使用通信回線５の監視をさらに改善することができる。
【００３３】
実施の形態４．
この実施の形態４は、実施の形態２において、地球局毎の通信統計情報ＴＳ、すなわち、地球局毎に通信速度毎に分類された平均通信時間情報Ｔａｖｅを、それぞれの地球局について記録したすべての通信の平均通信時間、前記記録したすべての通信の中で指定された期間の平均通信時間、および前記記録したすべての通信の中で指定された通信件数の平均通信時間のいずれかから選択可能とし、これらに基づいて待機時間Ｔｗを決定するようにしたものである。
【００３４】
この実施の形態４では、地球局毎に通信速度毎に分類された平均通信時間情報Ｔａｖｅが、それぞれの地球局について記録したすべての通信の平均通信時間、前記記録したすべての通信の中で指定された期間の平均通信時間、および前記記録したすべての通信の中で指定された通信件数の平均通信時間のいずれかから選択可能とされる結果、待機時間Ｔｗを的確に決定することができ、従来に比べて、無駄な使用通信回線５の監視をさらに改善することができる。
【００３５】
実施の形態５．
この実施の形態５は、実施の形態１において、地球局毎の通信統計情報ＴＳを、それぞれの地球局毎の平均通信時間情報Ｔａｖｅ、最小通信時間情報Ｔｍｉｎ、および最大通信時間情報Ｔｍａｘの中から、選択可能とし、これらに基づいて待機時間Ｔｗを決定するようにしたものである。
【００３６】
最小通信時間情報Ｔｍｉｎは、それぞれの地球局ＥＳが、発呼地球局ＥＳ１および相手地球局ＥＳ２となった過去の通信実績について、その最小通信時間を算出した情報である。最大通信時間情報Ｔｍａｘは、それぞれの地球局ＥＳが、発呼地球局ＥＳ１および相手地球局ＥＳ２となった過去の通信実績について、その最小通信時間を算出した情報である。
【００３７】
地球局毎の通信統計時間情報ＴＳとして、最小通信時間情報Ｔｍｉｎを選択したときには、通信回線監視制御部１３による使用通信回線５の開始までに、発呼地球局ＥＳ１または相手地球局ＥＳ２から回線開放通知ＮＲが受信される可能性が少なくなり、また、最大通信時間情報Ｔｍａｘを選択したときには、通信回線監視制御部１３による使用通信回線５の開始までに、発呼地球局ＥＳ１または相手地球局ＥＳ２から回線開放通知ＮＲが受信される可能性が大きくなるが、いずれの場合にも、従来に比べて、無駄な使用通信回線５の監視を改善することができる。
【００３８】
実施の形態６．
この実施の形態６は、実施の形態２において、地球局毎に通信速度毎に分類された通信統計情報ＴＳを、それぞれの地球局毎の平均通信時間情報Ｔａｖｅ、最小通信時間情報Ｔｍｉｎ、および最大通信時間情報Ｔｍａｘの中から、選択可能とし、これらに基づいて待機時間Ｔｗを決定するようにしたものである。
【００３９】
地球局毎の通信統計時間情報ＴＳとして、最小通信時間情報Ｔｍｉｎを選択した場合にも、また、最大通信時間情報Ｔｍａｘを選択した場合にも、従来に比べて、無駄な使用通信回線５の監視を改善することができる。
【００４０】
実施の形態７．
この実施の形態７は、実施の形態１において、親局１が、使用通信回線５の通信状態の監視を開始した後に、最初に前記発呼地球局ＥＳ１または相手地球局ＥＳ２からの通信確認信号ＣＣを受信すると、親局１が、その通信確認信号ＣＣに基づいて、次の監視タイミングを予測し、その監視タイミングで時分割に監視を行なうようにしたものである。その他は、実施の形態１と同じに構成される
【００４１】
図４は、この実施の形態７による使用通信回線の制御シーケンス図である。図４の上部には、ＣＳＣ変復調部１４、ＤＡＭＡ制御部１１、通信回線監視制御部１３、および通信回線監視用復調部１５が並んで図示され、その下部に、実施の形態７による使用通信回線５の制御状態が図示される。
【００４２】
通信回線監視制御部１３による使用通信回線５の監視を開始した後、時点Ｔ１において、最初に発呼地球局ＥＳ１または相手地球局ＥＳ２から通信確認信号ＣＣが受信され、地球局ＥＳ１、ＥＳ２間の通信が確認されたとする。通信回線監視制御部１３は、この最初の通信確認信号ＣＣの受信後に、使用通信回線５に監視を中断し、この最初の通信確認信号ＣＣに基づいて、次に監視を行なう監視タイミングを予測する。発呼地球局ＥＳ１と相手地球局ＥＳ２の間の通信が続いていると仮定すると、次の通信確認信号ＣＣは、時点Ｔ１から周期ｔの後に受信される。通信回線監視制御部１３は、時点Ｔ１から（ｔ−α）の後に次の監視を開始し、時点Ｔ１から（ｔ＋α）の後にこの監視を再び中断する。言い換えると、通信監視制御部１３は、時点Ｔ１の後に、（ｔ−α）と（ｔ＋α）の間の期間２αに次の監視を行なう。αは、周期ｔに比べて充分小さく設定される。
【００４３】
この期間２αに次の通信確認信号ＣＣが受信されず、時点Ｔ１から所定時間Ｔ内に使用通信回線５からの通信確認信号ＣＣが受信されないときには、通信回線監視制御部１３は、使用通信回線５に対する開放指示信号ＩＲをＤＡＭＡ制御部１１へ送り、ＤＡＭＡ制御部１１が使用通信回線５の開放を行なう。
【００４４】
この実施の形態７では、通信回線監視制御部１３は、時点Ｔ１の後に、期間２αにおいて次の監視を行なう期間を除き、地球局ＥＳ１、ＥＳ２との間の通信の監視を行なわないので、この期間に他の地球局間の使用通信回線５の監視を行なうことができ、少ない台数の通信回線監視用復調部１５を用いて、多くの地球局間の使用通信回線５の監視を行なうことができる。
【００４５】
実施の形態８．
この実施の形態８は、実施の形態２において、実施の形態７と同様に、親局１が、使用通信回線５の通信状態の監視を開始した後に、最初に前記発呼地球局ＥＳ１または相手地球局ＥＳ２からの通信確認信号ＣＣを受信すると、親局１が、その通信確認信号ＣＣに基づいて、次の監視タイミングを予測し、その監視タイミングで時分割に監視を行なうようにしたものである。その他は、実施の形態２と同じに構成される
【００４６】
この実施の形態８では、実施の形態２と同様に、地球局ＥＳ１、ＥＳ２の使用通信回線５の周波数帯域幅を指定し、待機時間設定部１３ａが、発呼地球局ＥＳ１に対応し、またその使用通信回線５の周波数帯域幅幅に対応する平均通信時間情報Ｔａｖｅの基づいて、待機時間Ｔｗを決定するものにおいて、通信回線制御部１３は、時点Ｔ１の後に、期間２αで次の監視を行なう期間を除き、地球局ＥＳ１、ＥＳ２との間の通信の監視を行なわないので、この期間に他の地球局間の使用通信回線５の監視を行なうことができ、少ない台数の通信回線監視用復調部１５を用いて、多くの地球局間の使用通信回線５の監視を行なうことができる。
【産業上の利用可能性】
【００４７】
この発明による衛星通信システムは、通信衛星を用いて、地球局間の通信を行なう衛星通信システムに利用することができる。
【図面の簡単な説明】
【００４８】
【図１】この発明による衛星通信システムの実施の形態１を示すシステム構成図。
【図２】実施の形態１における親局の構成を示すブロック図。
【図３】実施の形態１による使用通信回線の制御シーケンス図。
【図４】この発明の衛星通信システムの実施の形態７による使用通信回線の制御シーケンス図。
【符号の説明】
【００４９】
ＮＷ：ネットワーク、ＣＳ：通信衛星、ＥＳＧ：地球局群、１：親局、２：子局群、
２ａ、２ｂ、・・・、２ｎ：子局、３：下り共通線信号回線、
４：上り共通線信号回線、５：使用通信回線、
１１：要求時回線割当制御部（ＤＡＭＡ制御部）、
１３：通信回線監視制御部、１３ａ：待機時間設定部、
１４：共通線信号回線変復調部（ＣＳＣ変復調部）、１５：通信回線監視用復調部。
【図１】
0004558659.tif 000002
【図２】
0004558659.tif 000003
【図３】
0004558659.tif 000004
【図４】
0004558659.tif 000005